(57)【特許請求の範囲】
【請求項１】
グレンタンク（４）内の穀粒を排出する縦揚穀装置（５）に接続した横排出オーガ（６）は、固定オーガ（７）と該固定オーガ（７）に対して伸縮自在に取付けた移動オーガ（８）とにより分割形成し、前記移動オーガ（８）には伸縮に応じて移動する移動側螺旋翼（２５）を複数設けて構成した伸縮螺旋（２０）を設け、該伸縮螺旋（２０）は、複数設けた各移動側螺旋翼（２５）が、最短状態から最長状態の間連続して搬送するように構成し、前記横排出オーガ（６）の操作部には、伸縮手動操作スイッチ（３２）と、横排出オーガ（６）を最長状態にまで自動的に伸長させる自動伸長スイッチ（３４）と最短状態にまで自動的に縮小させる自動縮小スイッチ（３５）との何れか一方または両方を設け、前記自動伸長スイッチ（３４）または自動縮小スイッチ（３５）による自動作動中に、前記伸縮手動操作スイッチ（３２）による手動伸縮操作が行われたときは、自動作動中に行われた前記伸縮手動操作スイッチ（３２）からの入力に基づく手動操作を優先して、横排出オーガ（６）の自動動作を一旦停止させるように構成すると共に、一旦停止させた状態からの前記伸縮手動操作スイッチ（３２）による手動操作の続行と、その停止状態から再度自動排出制御させるために最初から自動操作のやり直しをすることなく前記自動伸長スイッチ（３４）または自動縮小スイッチ（３５）のどちらかのもう一度の再操作による再スタートとの何れかを、選択可能に構成し、前記移動オーガ（８）の伸縮速度は、伸長するときの所定速度に対して格納するときの縮小速度が速くなるように、前記固定オーガ７と前記移動オーガ（８）との間に常時縮小方向に付勢するバネ（４５）を設けて構成した穀物排出装置。
【請求項２】
請求項１において、前記縦揚穀装置（５）は前記グレンタンク（４）に接続した下部揚穀部（５３）と該下部揚穀部（５３）に伸縮自在に取付けた上部揚穀部（５４）とに分割形成し、前記上部揚穀部（５４）には伸縮に応じて移動する移動側揚穀螺旋翼（２５ａ）を複数設けて構成した伸縮揚穀螺旋（６１）を設け、該伸縮揚穀螺旋（６１）は穀粒搬送中に移動側揚穀螺旋翼（２５ａ）を移動させて伸縮可能に構成した穀物排出装置。
【発明の詳細な説明】
【０００１】
【発明が属する技術分野】
本発明は、穀物排出装置に係るものである。
【０００２】
【従来技術】
従来公知の特開２００１−６９８４６号公報には、グレンタンク内に一時貯留された穀粒を排出する排出オーガを伸縮自在にした構成について記載されている。
【０００３】
【発明が解決しようとする課題】
前記公知例は、移動オーガが伸長するに連れて各移動側螺旋翼の間隔が空いて搬送力が作用しない空白部分が生じることがあり、この状態で伸縮させると、一層、搬送力が低下する惧れがあるという課題がある。
そのため、排出作業中に横排出オーガを伸縮させられないという課題がある。
また、横排出オーガの操作において、手動操作と自動操作との優先関係が明確でなく、操作性に関する工夫がないという課題がある。
【０００４】
【発明の目的】
排出オーガの操作性および作業性の向上、搬送の円滑化、搬送の確実性を向上、詰まり発生の抑制、伸縮の円滑化、低コスト化。
【０００５】
【課題を解決するための手段】
本発明は、グレンタンク４内の穀粒を排出する縦揚穀装置５に接続した横排出オーガ６は、固定オーガ７と該固定オーガ７に対して伸縮自在に取付けた移動オーガ８とにより分割形成し、前記移動オーガ８には伸縮に応じて移動する移動側螺旋翼２５を複数設けて構成した伸縮螺旋２０を設け、該伸縮螺旋２０は、複数設けた各移動側螺旋翼２５が、最短状態から最長状態の間連続して搬送するように構成し、前記横排出オーガ６の操作部には、伸縮手動操作スイッチ３２と、横排出オーガ６を最長状態にまで自動的に伸長させる自動伸長スイッチ３４と最短状態にまで自動的に縮小させる自動縮小スイッチ３５との何れか一方または両方を設け、前記自動伸長スイッチ３４または自動縮小スイッチ３５による自動作動中に、前記伸縮手動操作スイッチ３２による手動伸縮操作が行われたときは、自動作動中に行われた前記伸縮手動操作スイッチ３２からの入力に基づく手動操作を優先して、横排出オーガ６の自動動作を一旦停止させるように構成すると共に、一旦停止させた状態からの前記伸縮手動操作スイッチ３２による手動操作の続行と、その停止状態から再度自動排出制御させるために最初から自動操作のやり直しをすることなく前記自動伸長スイッチ３４または自動縮小スイッチ３５のどちらかのもう一度の再操作による再スタートとの何れかを、選択可能に構成し、前記移動オーガ８の伸縮速度は、伸長するときの所定速度に対して格納するときの縮小速度が速くなるように、前記固定オーガ７と前記移動オーガ８との間に常時縮小方向に付勢するバネ４５を設けて構成した穀物排出装置としたものであり、移動オーガ８の先端を軽トラックのタンク上方に向けて伸長させて位置合わせし、位置合わせ完了後に穀粒排出する。この穀粒排出作業中の横排出オーガ６は伸縮可能であり、横排出オーガ６の先端位置を伸縮により変更移動させてタンク内に穀粒を均しながら排出させ、穀粒は常に移動側螺旋翼２５による搬送力を受けながら横排出オーガ６内を搬送されて排出され、この間に横排出オーガ６を伸縮させても、移動側螺旋翼２５による搬送作用の非作用域は生じない。
そして、一度操作するだけで自動的に伸長または縮小させられ、手動操作が行われると、手動操作を優先し、制御部３６による横排出オーガ６の自動制御動作を停止させ、更に、手動操作が行われると一旦自動動作を停止させ、次ぎに、手動操作を優先させるか、または、その停止状態からの自動制御操作の再スタートの何れかを選択してスイッチ操作し、排出作業を行う。
また、伸長するときは穀粒を零さないための適正速度で伸長させるが、縮小させるときは早く縮めるので、モーター関係への負荷も少なく、且つ、障害物に当たる惧れもなく、作業効率を向上させることができる。
本発明は、前記縦揚穀装置５は前記グレンタンク４に接続した下部揚穀部５３と該下部揚穀部５３に伸縮自在に取付けた上部揚穀部５４とに分割形成し、前記上部揚穀部５４には伸縮に応じて移動する移動側揚穀螺旋翼２５ａを複数設けて構成した伸縮揚穀螺旋６１を設け、該伸縮揚穀螺旋６１は穀粒搬送中に移動側揚穀螺旋翼２５ａを移動させて伸縮可能に構成した穀物排出装置としたものであり、横排出オーガ６の軸方向には横排出オーガ６を伸縮させて先端排出位置の位置合わせを行い、先端排出位置の高低差があって、横排出オーガ６の先端の上下移動で不十分なときでも、縦揚穀装置５を伸長させると、排出可能となる。
【０００６】
【発明の効果】
請求項１においては、横排出オーガ６の位置合わせが容易にでき、タンク内への穀粒排出も均しながらできて作業性および操作性を向上させ、移動側螺旋翼２５による搬送作用の非作用域が生じないので、搬送を円滑にできて搬送の確実性を向上させ、更に、詰まり発生も抑制でき、また、伸縮時に穀粒による抵抗が減少して伸縮それ自体も円滑にでき、操作性および作業性を向上させ、作業者の意思を優先させた操作を可能にして操作性を向上させ、一旦自動動作を停止させた後の手動操作と自動制御との選択ができ、操作性を向上させ、また、作業者の意思を優先させた障害に対する回避と操作性の低下の抑制との両立を実現でき、また、伸長するときは穀粒を零さないための適正速度で伸長させるが、縮小させるときは早く縮めるので、モーター関係への負荷も少なく、且つ、障害物に当たる惧れもなく、作業効率を向上させることができる。
請求項２においては、前項に加えて、横排出オーガ６の伸縮および旋回並びに昇降により先端排出位置の位置合わせができない場合でも、縦揚穀装置５の伸縮によって排出でき、汎用性を向上させ、操作性、作業性を向上させる。
【０００７】
【発明の実施の形態】
本発明の一実施例を図により説明すると、１は走行装置、２は走行装置１の上方に設けた脱穀装置、３は脱穀装置２の前方に設けた刈取部、４は脱穀装置２の側部に設けたグレンタンク、５はグレンタンク４内の穀粒を排出する縦揚穀装置、６は横排出オーガである。
前記横排出オーガ６は、前記縦揚穀装置５に接続した固定オーガ７と、該固定オーガ７に伸縮自在に取付けた移動オーガ８とにより分割形成する。前記固定オーガ７の固定オーガ筒９の基部と縦揚穀装置５との接続部分は公知であり、横軸回動自在および縦揚穀装置５の軸心を中心に先端が旋回するように構成する。固定オーガ筒９には固定オーガ螺旋１０を設ける。固定オーガ螺旋１０は固定オーガ筒９に設けた中間側軸受部１１に軸装する。
前記固定オーガ筒９の外周部分には外側軸受部材１２を設け、外側軸受部材１２には伸縮作動軸部材１３の先端を軸装し、伸縮作動軸部材１３には移動オーガ８の移動オーガ筒１４の任意部分に設けた伸縮用受部材１５を螺合させ、前記伸縮作動軸部材１３の基部側は前記固定オーガ筒９の外周に設けたモータ等により構成する駆動部材１６に接続し、駆動部材１６により伸縮作動軸部材１３を回転させて伸縮用受部材１５を長さ方向の往復移動させて移動オーガ８を固定オーガ７に対して伸縮させる。
【０００８】
しかして、前記固定オーガ筒９と移動オーガ筒１４には伸縮螺旋２０を設ける。伸縮螺旋２０は、伸縮方向を説明の都合上「前後」とすると、前後方向の円筒形状の移動部材２１の前後端に夫々前後方向に突き出るように板状の係合部材２２を形成し、係合部材２２の前後両端には夫々前後側係合部２３、２４を形成し、移動部材２１の前後の係合部材２２の前後両端に亘ってその外面に移動側螺旋翼２５を形成して一つの移動螺旋ピース２６を構成し、各移動螺旋ピース２６は、前記移動部材２１に形成した異径形状の異径挿通孔２７を、外周面が異径挿通孔２７と同一形状の伝達軸部材２８に挿通して伸縮螺旋２０を構成する。
この場合、前記各移動螺旋ピース２６は前後側の係合部材２２の前側係合部２３と後側係合部２４とが互いに係合するように組合せて伝達軸部材２８に挿通する。
しかして、移動螺旋ピース２６のうち基部側の移動螺旋ピース２６の後側係合部２４は固定オーガ螺旋１０側に、先端の移動螺旋ピース２６は伝達軸部材２８の先端側に、夫々任意の方法手段により係止する。
したがって、移動オーガ筒１４と共に伝達軸部材２８が伸長すると、最先端の移動螺旋ピース２６は伝達軸部材２８との係止部分により牽引され、次に、最先端の移動螺旋ピース２６の後側係合部２４が後側の移動螺旋ピース２６の前側係合部２３に係合して牽引して各移動螺旋ピース２６が伝達軸部材２８に対して移動し、反対に移動オーガ筒１４と共に伝達軸部材２８が縮小すると、最先端の移動螺旋ピース２６が後側の移動螺旋ピース２６を後側に押して各移動螺旋ピース２６が伝達軸部材２８に対して移動して間隔が縮小する。
【０００９】
この場合、各移動螺旋ピース２６は係合部材２２に対して移動部材２１が短く形成され、移動螺旋ピース２６は係合部材２２の前後側の前側係合部２３と後側係合部２４とが互いに係合するように組合せているので、各係合部材２２は重ならずにあたかも移動部材２１の外周に一周するように配置され、また、この一周している係合部材２２に対応する移動部材２１は当接状態となる。このことは、縮小状態では各移動螺旋ピース２６の移動側螺旋翼２５が連続していなが重なった状態となるため搬送作用がとぎれることはなく、伸長状態では各移動螺旋ピース２６の移動側螺旋翼２５の前後端は連続状態となって、複数の移動螺旋ピース２６が伝達軸部材２８の軸方向に存在することになり、伸縮螺旋２０の移動側螺旋翼２５は状態によって重なることもあるが、その前後端は連続状態となって、穀粒は常時移動側螺旋翼２５の搬送力を受けて搬送される。
２９は伝達軸部材２８の先端を取付けた軸受である。
【００１０】
しかして、前記横排出オーガ６は、横排出オーガ６の伸縮揚旋２０および固定オーガ螺旋１０を駆動しながら、移動オーガ筒１４を伸縮移動可能に構成する。即ち、搬送方向に移動側螺旋翼２５を移動させて各移動側螺旋翼２５との間に搬送力が作用しない空白部分が生じた状態で伸縮させると、一層、搬送力が低下する惧れがあるが、搬送方向に移動させても各移動側螺旋翼２５の前後端を連続状態となるようにして穀粒に常時搬送力が作用するようにしたことにより、穀粒排出中でも伸縮横排出オーガ６の伸縮操作可能にする。
したがって、特に、穀粒排出作業中の横排出オーガ６の伸縮可能にすることにより、横排出オーガ６の先端はタンク上方にて容易に位置変更移動でき、タンク内に均等に穀粒を排出させるのが容易になり、操作性および作業性を向上させる。
前記の場合、伸縮螺旋２０の一部または全部を合成樹脂により形成すると、横排出オーガ６の全体を軽量化し、伸縮螺旋２０の回転する際の放射方向への慣性力を小さくでき、それゆえ、横排出オーガ６排出中の全体の振動を減少させられ、排出中の伸縮を円滑にする。
【００１１】
３０は伸縮横排出オーガ６の操作パネルであり、横排出オーガ６の先端の上下および旋回の操作を行うオーガ昇降旋回レバー３１と、伸縮横排出オーガ６の伸縮手動スイッチ３２と、横排出オーガ６の搬送の入り切り操作する穀粒排出レバー３３を設けている。前記操作パネル３０には移動オーガ筒１４を最長状態にまで自動的に伸長させる自動伸長スイッチ３４を設ける（図９）。
排出作業において、横排出オーガ６の伸長操作は、手動操作の場合、最長状態に伸長させるためには伸長させている間ずっと伸縮手動スイッチ３２を押し続ける必要があり面倒であるが、自動伸長スイッチ３４は一度操作するだけで自動的に伸長させて伸長停止させるので、操作性を向上させて、好適である。
図１０は、操作パネル３０に移動オーガ筒１４を最短状態にまで自動的に縮小させる自動縮小スイッチ３５を設けた実施例である。伸縮螺旋２０の伸縮操作のうち縮小操作は、伸縮手動スイッチ３２を縮小させている間押し続ける必要があり面倒であるが、自動縮小スイッチ３５は一度操作するだけで自動的に最短状態に縮小させ、操作性を向上させる。特に、自動的に短縮させる場合、旋回させて格納制御するようなコントローラ（制御部）が不要で自動縮小スイッチ３５を設ければよいので、安価に構成でき、好適である。
【００１２】
図１１は、前記自動伸長スイッチ３４および自動縮小スイッチ３５を並設したものであり、伸縮手動スイッチ３２による操作では最長または最短位置まで押し続ける必要があり面倒であるが、自動伸長スイッチ３４および自動縮小スイッチ３５は一度操作するだけで自動的に伸長または短縮させられ、操作性が向上し、好適である。
しかして、前記横排出オーガ６は、軽トラックのタンク等の排出位置を予め設定すると、設定排出位置まで旋回および伸縮し、排出作業が終了すると、格納位置まで旋回および伸縮するように、自動排出・格納制御可能に構成し（図１２）、自動旋回および／または伸縮中に、オーガ昇降旋回レバー３１または伸縮手動スイッチ３２による手動操作が行われたときは手動操作を優先し、制御部３６による横排出オーガ６の自動制御動作を停止させる。
自動制御作動中に手動操作がされるときは、作業者が何かを察知して行っているのであるから、作業者の意思を優先させるために、手動操作からの入力を優先して作業者の意思に沿った操作とし、操作性を向上させ、また、安全性も向上させる。
また、前記横排出オーガ６は、予め設定した軽トラックのタンク等の排出位置にまでの旋回および伸長、並びに穀粒の排出、排出後の格納までの一連の排出作業の一部または全部を自動制御可能に構成し、自動制御中に、手動操作が行われたときは一旦自動動作を停止させ、手動操作を優先させるか、または、その停止状態から前記自動制御操作をもう一度したときは再スタートになるように構成する（図１３）。
【００１３】
自動制御作動中の手動操作により一旦自動動作を停止させることにより、作業者の意思を優先させ、その後、手動操作を続行すると、手動操作からの入力を優先して作業者の意思に添った操作とし、また、一旦停止させた自動動作であっても、障害がないときは再び自動制御によって排出作業を行うと、一層、操作性を向上させる。
即ち、一旦自動動作を停止させた後、再度自動排出制御させるためにもう一度最初から操作のやり直しが必要となると、かえって操作性を低下させるが、作業者に障害がないことを確認させたうえで、停止状態から自動制御による排出作業を再開させることにより、一旦自動動作を停止させた後の手動操作と自動制御との選択を可能にして、障害に対する回避と操作性の低下の抑制との両立を図ったものである。
図中、３７は旋回位置を設定するオーガダイヤルである。
しかして、移動オーガ８の伸縮機構Ｓは、伸長するときの所定速度に対して格納するときの縮小速度が遅くならないようにすると、操作性および作業効率を向上できて、好適である。
【００１４】
伸長するときは穀粒を零さないための適正速度で伸長させるが、縮小させるときは早く縮めた方がモーター関係への負荷も少なく、且つ、障害物に当たる惧れもないため、縮小速度を遅くならないようにすることにより、作業効率を向上させる。
具体的には、前記固定オーガ筒９と移動オーガ筒１４（伸縮用受部材１５）との間に常時縮小方向に付勢するバネ４５を設け、縮小速度が遅くならないように構成している（図１４、１５）。この場合、バネ４５単独による縮小速度が駆動部材１６による縮小速度より早いわけではないので、駆動部材１６による駆動力がバネ４５の牽引力に対する抵抗とならず、バネ４５が縮小するときの摺動抵抗等の抵抗を減少させて、縮小速度を遅くさせない（早くしている）。特に、横排出オーガ６内に穀粒が残留しているときは、移動螺旋ピース２６の縮小移動に対する抵抗となるが、この抵抗をバネ４５は減少させられ、安価に構成できて、好適である。
即ち、前回排出した残りの穀粒の一部が、タンク内に戻らないように適正速度を確保するとよい。
【００１５】
しかして、前記固定オーガ筒９の外周には、該固定オーガ筒９の母線方向と平行な軸部材により構成したガイド部材４６を、複数母線方向に所定間隔を置いて並設固定する（図１６〜図１８）。前記ガイド部材４６は固定オーガ筒９の外周と移動オーガ筒１４の内周の間に位置して、何れの部分の隙間も同じとなるように、固定オーガ筒９の軸心と移動オーガ筒１４の軸心とを同芯上に配置するものである。
この場合、各ガイド部材４６は固定オーガ筒９の外周と移動オーガ筒１４の内周の間の隙間と略同じ直径であって夫々終始同径に形成した軸部材により形成して、固定オーガ筒９の外周に溶接固定する。したがって、ガイド部材４６により固定オーガ筒９の外周と移動オーガ筒１４の内周の間の隙間が同じになって、その結果、固定オーガ筒９の軸心と移動オーガ筒１４の軸心とを同芯にでき、また、固定オーガ筒９の剛性も向上させて、変形を抑制し、しかも、安価にできて、好適である。
【００１６】
しかして、前記伝達軸部材２８の基部側は中間軸受部１１に軸装した固定オーガ螺旋１０の固定螺旋回転軸４７に摺動自在に嵌合させ、前記移動螺旋ピース２６のうち始端部の移動螺旋ピース２６の移動側螺旋翼２５には、前記中間軸受部１１に摺接する摺接部材４８を設ける（図１９）。摺接部材４８は移動側螺旋翼２５の端縁に設け、移動側螺旋翼２５が回転する度に中間軸受部１１に接触して、中間軸受部１１に付着した異物を除去する。特に、摺接部材４８は中間軸受部１１に巻きついた藁屑の除去に有効である。
しかして、図２０、２１の実施例は、移動オーガ筒１４の任意部分に別途中間軸受部１１ａを設け、該中間軸受部１１ａの臨む部分の移動オーガ筒１４に掃除口４９を設け、掃除口４９には開閉蓋５０を設ける。開閉蓋５０を開けて掃除口４９を開放することにより、中間軸受部１１に付着した異物、特に、巻きついた藁屑の除去作業を容易にする。
この場合、移動オーガ筒１４に変えて伸縮しない横排出オーガ６のオーガ筒５１の任意部分の中間軸受部５２の臨む部分に掃除口４９を設け、掃除口４９には開閉蓋５０を設けてもよい。
【００１７】
しかして、前記縦揚穀装置５は前記グレンタンク４に接続した下部揚穀部５３と、該下部揚穀部５３に伸縮自在に取付けた上部揚穀部５４とに分割形成し、下部揚穀部５３の基部とグレンタンク４との接続部分は下部メタル５５により接続し、上部揚穀部５４の上部には上部メタル５６を介して前記横排出オーガ６に接続する（図２２〜図２４）。５７は前記下部揚穀部５３に設けた伸縮駆動機構であり、その構成は任意である。一例を示すと、下部揚穀部５３側に螺子軸５８を回転のみ自在に設け、上部揚穀部５４側に前記螺子軸５８に螺合して螺子軸５８の軸方向に移動する移動部材５９を設けている。
前記下部揚穀部５３と上部揚穀部５４には下部揚穀螺旋６０および伸縮揚穀螺旋６１を設ける。伸縮揚穀螺旋６１は、前記伸縮螺旋２０の搬送方向および伸縮方向を略縦（上下）方向にした構成であればよく、同一符号を付して説明している。
前記縦揚穀装置５は、上部揚穀部５４と共に伝達軸部材２８が伸長すると、最先端の移動揚穀螺旋ピース２６は伝達軸部材２８との係止部分により牽引され、次に、最先端の移動揚穀螺旋ピース２６の下側係合部２４が下側の移動揚穀螺旋ピース２６の上側係合部２３に係合して牽引して各移動揚穀螺旋ピース２６が伝達軸部材２８に対して移動し、反対に上部揚穀部５４と共に伝達軸部材２８が縮小すると、最先端の移動揚穀螺旋ピース２６が下降し、各移動揚穀螺旋ピース２６は自重または上側の移動揚穀螺旋ピース２６に押されて伝達軸部材２８に対して下降して間隔が縮小する。
したがって、前記縦揚穀装置５および横排出オーガ６の何れもが、伸縮する構成としたから、高低差のある圃場における排出作業において、横排出オーガ６の先端を軽トラックに位置合わせするのが、頗る容易となる。
この場合、前記伸縮揚穀螺旋６１の移動側揚穀螺旋翼２５ａは、搬送方向に移動させても各移動側螺旋翼２５ａの前後端が連続状態となるようにして穀粒に常時揚穀搬送力が作用するようにして、穀粒揚穀排出中でも伸縮縦揚穀装置５の伸縮操作可能にすると、操作性および作業性を向上させて、好適である。
【００１８】
（実施例の作用）
機体を走行させて刈取部３により圃場の穀稈を刈取って脱穀装置２で脱穀し、脱穀した穀粒をグレンタンク４にて貯留し、グレンタンク４が一杯になると縦揚穀装置５により揚穀し、揚穀した穀粒を横排出オーガ６により、圃場近傍のトラックのタンクに放出する。
前記横排出オーガ６は、前記縦揚穀装置５に接続した固定オーガ７と、該固定オーガ７に伸縮自在に取付けた移動オーガ８とにより分割形成しているから、モータ等の駆動部材１６により伸縮作動軸部材１３を回転させると、伸縮作動軸部材１３に螺合している伸縮用受部材１５が固定オーガ７に対して移動することにより移動オーガ８を伸縮させ、横排出オーガ６の先端をトラックのタンクに位置合わせするのが容易となる。
また、排出作業が終了すると、横排出オーガ６は縮小させて格納し、次ぎの作業を再開するので、作業の邪魔にならず、作業性を向上させる。
【００１９】
しかして、前後方向の円筒形状の移動部材２１と、移動部材２１の外周に固定した前後方向に長い板形状の係合部材２２と、係合部材２２の前後両端の外面に固定した移動側螺旋翼２５により移動螺旋ピース２６を構成し、各移動螺旋ピース２６の係合部材２２の前後両端の前側係合部２３と後側係合部２４とが互いに係合するように伝達軸部材２８に順に挿通して伸縮螺旋２０を固定オーガ筒９と移動オーガ筒１４に設けているから、移動オーガ筒１４が伸長すると、移動オーガ筒１４の先端側の移動螺旋ピース２６はその後側係合部２４が後側の移動螺旋ピース２６の前側係合部２３を牽引するまで、伝達軸部材２８に対して移動し、後側の移動螺旋ピース２６はその後側の移動螺旋ピース２６の前側係合部２３を牽引するまで、伝達軸部材２８に対して移動し、これを反復して、各移動螺旋ピース２６の移動側螺旋翼２５の間隔（ピッチ）が広くなって、移動オーガ筒１４の伸長に対応して伸縮螺旋２０も伸長する。
そして、伝達軸部材２８は四角形や五角形の多角形状や、所謂小判型形状等の異径形状に形成し、伝達軸部材２８に移動螺旋ピース２６の移動部材２１に形成した異径挿通孔２７を挿通しているから、各移動螺旋ピース２６は伝達軸部材２８の軸方向に移動するが、伝達軸部材２８が回転すると、各移動螺旋ピース２６の移動側螺旋翼２５は回転して穀粒を搬送する。
【００２０】
しかして、移動螺旋ピース２６は係合部材２２の前後側の前側係合部２３と後側係合部２４とを互いに係合するように組合せて伝達軸部材２８に挿通し、係合部材２２に対して移動部材２１を短く形成しているので、各移動螺旋ピース２６の係合部材２２は移動オーガ８が縮小状態のとき互いに重ならずにあたかも移動部材２１の外周に一周するように配置され、また、この一周している係合部材２２に対応する移動部材２１は当接状態となる。
なお、前記横排出オーガ６の操作および制御に関する各実施例は、そのまま縦揚穀装置５の伸縮操作および制御に該当させることは可能であり、また、理解および説明を容易にするために個別または混在させて図示あるいは説明しているが、これらの各実施例を取捨選択して組合せることは、勿論可能であり、表現形態によって、本願構成が限定されることはなく、また、相乗効果を奏する場合も勿論存在する。
【図面の簡単な説明】
【図１】    コンバイン側面図。
【図２】    横排出オーガの縦断側面図。
【図３】    伸縮螺旋の螺旋ピースの側面図（説明のための方向説明であり、構成は限定されない）。
【図４】    同平面図。
【図５】    同低面図。
【図６】    伸縮螺旋の斜視図。
【図７】    伸縮螺旋の斜視図。
【図８】    排出作業状態説明図。
【図９】    操作パネルの斜視図。
【図１０】  同他の実施例の斜視図。
【図１１】  同他の実施例の斜視図。
【図１２】  ブロック図。
【図１３】  他の実施例のブロック図。
【図１４】  横排出オーガの他の実施例の側面図。
【図１５】  同作用状態説明図。
【図１６】  横排出オーガの他の実施例の側面図。
【図１７】  同固定オーガ筒の側面図。
【図１８】  同縦断面図。
【図１９】  横排出オーガの他の実施例の縦断側面図。
【図２０】  横排出オーガの他の実施例の斜視図。
【図２１】  同開閉蓋を開けた状態の斜視図。
【図２２】  縦揚穀装置他の実施例の側面図。
【図２３】  同縦断側面図。
【図２４】  図２３の一部拡大図。
【符号の説明】
１…走行装置、２…脱穀装置、３…刈取部、４…グレンタンク、５…縦揚穀装置、６…横排出オーガ、７…固定オーガ、８…移動オーガ、１０…固定オーガ螺旋、１１…中間側軸受部、１２…外側軸受部材、１３…伸縮作動軸部材、１４…移動オーガ筒、１５…伸縮用受部材、１６…駆動部材、２０…伸縮螺旋、２１…移動部材、２２…係合部材、２３…前側係合部、２４…後側係合部、２５…移動側螺旋翼、２６…移動螺旋ピース、２７…異径挿通孔、２８…伝達軸部材、３０…操作パネル、３１…オーガ昇降旋回レバー、３２…伸縮手動スイッチ、３３…穀粒排出レバー、３４…自動伸長スイッチ、３５…自動縮小スイッチ、４５…バネ、４６…ガイド部材、４７…固定螺旋回転軸、４８…摺接部材、４９…掃除口、５０…開閉蓋、５１…オーガ筒、５２…中間軸受部、５３…下部揚穀部、５４…上部揚穀部、５５…下部メタル、５６…上部メタル、５７…伸縮駆動機構、５８…螺子軸、５９…移動部材、６０…下部揚穀螺旋、６１…伸縮揚穀螺旋。
【図１】
0003928418.tif 000002
【図２】
0003928418.tif 000003
【図３】
0003928418.tif 000004
【図４】
0003928418.tif 000005
【図５】
0003928418.tif 000006
【図６】
0003928418.tif 000007
【図７】
0003928418.tif 000008
【図８】
0003928418.tif 000009
【図９】
0003928418.tif 000010
【図１０】
0003928418.tif 000011
【図１１】
0003928418.tif 000012
【図１２】
0003928418.tif 000013
【図１３】
0003928418.tif 000014
【図１４】
0003928418.tif 000015
【図１５】
0003928418.tif 000016
【図１６】
0003928418.tif 000017
【図１７】
0003928418.tif 000018
【図１８】
0003928418.tif 000019
【図１９】
0003928418.tif 000020
【図２０】
0003928418.tif 000021
【図２１】
0003928418.tif 000022
【図２２】
0003928418.tif 000023
【図２３】
0003928418.tif 000024
【図２４】
0003928418.tif 000025